(57)【特許請求の範囲】
【請求項１】
複数の鏡筒構成部材が重ね合わされて構成された鏡筒と、
前記複数の鏡筒構成部材のうち被写体像を導く光路としての開口が形成され、もっとも被写体側に位置する前端鏡筒構成部材と、
被写体像を撮像して撮像信号を出力する撮像素子と、
前記撮像素子から出力される撮像信号を入力して所定の信号処理を行なう信号処理部と、
前記前端鏡筒構成部材の被写体側の前面を覆い前記光路としての開口に対応する箇所に開口が設けられた前面被覆用板部を有し、少なくとも前記鏡筒の一部を覆い前記撮像素子および信号処理部に対する電磁遮蔽を行うシールドケースと、
前記複数の鏡筒構成部材を、前記重ね合わされる方向に挟持することで、前記シールドケースが前記鏡筒に対して前記重ね合わされる方向において位置決めされ前記鏡筒に装着される挟持機構と、を備え、
前記挟持機構を介して前記シールドケースで隣り合う２つの前端鏡筒構成部材、すなわち、シャッタ支持用ハウジングと鏡筒本体を挟持した状態で、前記シールドケースの前記前面被覆用板部と前記鏡筒の前面との間であって、前記前面被覆用板部の開口周辺部に、撮影光学系の光軸方向に沿った隙間を設けた
カメラモジュール。
【請求項２】
前記複数の鏡筒構成部材のうち前記撮影光学系の光軸方向の前端に位置する前端鏡筒構成部材は、前記撮影光学系を構成する光路の開口が形成された前面を有し、前記シールドケースは前記前端鏡筒構成部材の前面を覆う前面被覆用板部を有し、前記前面被覆用板部には、前記光路の開口に対応する箇所に開口が設けられている請求項１記載のカメラモジュール。
【請求項３】
前記挟持機構は、前記シールドケースに設けられた弾性変形可能なばね片と、前記ばね片が弾性変形する方向に沿って前記ばね片と離れた前記シールドケースの箇所に設けられた係止用開口と、互いに隣り合う２つの鏡筒構成部材のうちの一方の鏡筒構成部材に設けられ前記ばね片が係止される係止面と、前記互いに隣り合う２つの鏡筒構成部材のうちの他方の鏡筒構成部材に設けられ前記係止用開口に挿入される突起とを有し、前記ばね片が前記係止面に係止し、かつ、前記突起が前記係止用開口に挿入されることで、前記ばね片が弾性変形し、前記ばね片が前記係止面に圧接すると共に、前記係止面と反対に位置する前記突起の箇所が、前記係止用開口の前記ばね片と離れた箇所に位置する縁に常時圧接される請求項１記載のカメラモジュール。
【請求項４】
前記複数の鏡筒構成部材のうち前記撮影光学系の光軸方向の前端に位置する前端鏡筒構成部材は、前記撮影光学系を構成する光路の開口が形成された前面を有し、前記シールドケースは、前記前端鏡筒構成部材の前面を覆う矩形状の前面被覆用板部と、この前面被覆用板部から屈曲された側面部とを有し、前記ばね片は前記前面被覆用板部に形成され、前記係止用開口は前記側面部に設けられている請求項３記載のカメラモジュール。
【請求項５】
前記鏡筒は、前記撮影光学系の光軸に沿った両側箇所に前端と後端とを有し、前記基板は前記鏡筒の後端に取着され、前記シールドケースは、前記鏡筒の前端を含む部分を覆う前分割体と、前記基板を含む部分を覆う後分割体とで構成され、前記挟持機構は前記鏡筒の前端を含む部分と前記前分割体とにわたって設けられ、前記挟持機構により前記複数の鏡筒構成部材が重ね合わされる方向の前記鏡筒に対する前記前分割体の位置決めがなされ前記鏡筒に前分割体が装着されている請求項１記載のカメラモジュール。
【請求項６】
前記鏡筒は、前記撮影光学系の光軸に沿った両側箇所に前端と後端とを有し、前記基板は前記鏡筒の後端に取着され、前記シールドケースは、前記鏡筒の前端を含む部分を覆う前分割体と、前記基板を含む部分を覆う後分割体とで構成され、前記複数の鏡筒構成部材のうち前記光軸方向の前端に位置する前端鏡筒構成部材は、前記撮影光学系を構成する光路の開口が形成された前面を有し、前記前分割体は、前記前端鏡筒構成部材の前面を覆う矩形状の前面被覆用板部と、この前面被覆用板部から屈曲された側面部とを有し、前記挟持機構は、前記前面被覆用板部に設けられた弾性変形可能なばね片と、前記光軸方向に沿って前記押ばね片と離れた前記側面部の箇所に設けられた係止用開口と、前記ばね片が係止される前記前端鏡筒構成部材の前面と、前記前端鏡筒構成部材の隣りに重ね合わされる鏡筒構成部材に設けられ前記係止用開口に挿入される突起とを有し、前記ばね片が前記前端鏡筒構成部材の前面に係止し、かつ、前記突起が前記係止用開口に挿入されることで、前記ばね片が弾性変形し、前記ばね片が前記前端鏡筒構成部材の前面に圧接すると共に、前記前端鏡筒構成部材の前面と反対に位置する前記突起の箇所が、前記係止用開口の前記ばね片と離れた箇所に位置する縁に常時圧接される請求項１記載のカメラモジュール。
【請求項７】
前記前面被覆用板部から離れる方向で前記係止用開口を通る前記側面部の端部には、該側面部の外側に折れ曲がる屈曲片が設けられている請求項６記載のカメラモジュール。
【請求項８】
前記ばね片が前記前端鏡筒構成部材の前面に圧接すると共に、前記前端鏡筒構成部材の前面と反対に位置する前記突起の箇所が、前記係止用開口の前記ばね片と離れた箇所に位置する縁に常時圧接されることで、前記前端鏡筒構成部材の前面と前記前面被覆用板部との間に前記光軸方向に沿った隙間が確保される請求項６記載のカメラモジュール。
【請求項９】
前記シールドケースは、弾性および導電性を有する材料で形成されている請求項１記載のカメラモジュール。
【請求項１０】
前記複数の鏡筒構成部材は、前記撮影光学系の光軸方向に沿って重ね合わされて構成されている請求項１記載のカメラモジュール。
【請求項１１】
筐体と、前記筐体に組み込まれたカメラモジュールとを備える電子機器であって、
前記カメラモジュールは、カメラ本体と、シールドケースとを備え、
前記カメラ本体は、複数の鏡筒構成部材が重ね合わされて構成された鏡筒と、
前記複数の鏡筒構成部材のうち被写体像を導く光路としての開口が形成され、もっとも被写体側に位置する前端鏡筒構成部材と、
被写体像を撮像して撮像信号を出力する撮像素子と、
前記撮像素子から出力される撮像信号を入力して所定の信号処理を行なう信号処理部と、
前記前端鏡筒構成部材の被写体側の前面を覆い前記光路としての開口に対応する箇所に開口が設けられた前面被覆用板部を有し、少なくとも前記鏡筒の一部を覆い前記撮像素子および信号処理部に対する電磁遮蔽を行うシールドケースと、
前記複数の鏡筒構成部材を、前記重ね合わされる方向に挟持することで、前記シールドケースが前記鏡筒に対して前記重ね合わされる方向において位置決めされ前記鏡筒に装着される挟持機構と、を備え、
前記挟持機構を介して前記シールドケースで隣り合う２つの前端鏡筒構成部材、すなわち、シャッタ支持用ハウジングと鏡筒本体を挟持した状態で、前記シールドケースの前記前面被覆用板部と前記鏡筒の前面との間であって、前記前面被覆用板部の開口周辺部に、撮影光学系の光軸方向に沿った隙間を設けた
電子機器。
【発明の詳細な説明】
【技術分野】
【０００１】
本発明はカメラモジュールおよび電子機器に関する。
【背景技術】
【０００２】
近年、カメラモジュールが組み込まれた携帯電話機、あるいはＰＤＡ（Ｐｅｒｓｏｎａｌ  Ｄｉｇｉｔａｌ  Ａｓｓｉｓｔａｎｔｓ）などの電子機器が提供されている。
カメラモジュールは、撮影光学系を保持する鏡筒と、鏡筒の後端に取着された基板と、鏡筒内に組み込まれ撮影光学系で導かれた被写体像を撮像して撮像信号を出力する撮像素子と、基板に設けられ撮像素子から出力される撮像信号を入力して所定の信号処理を行なう信号処理部とを備え、鏡筒および基板を覆い撮像素子および信号処理部に対する電磁遮蔽を行うシールドケースが設けられている（特許文献１参照）。
【特許文献１】特開２００５−８６３４１号公報
【発明の開示】
【発明が解決しようとする課題】
【０００３】
ところで、このようなカメラモジュールの鏡筒は、複数の鏡筒構成部材が重ね合わせて構成されている場合が多い。
このような鏡筒では、各鏡筒構成部材の寸法のばらつきが許容誤差の範囲に入っていたとしても、各鏡筒構成部材の寸法のばらつきは、複数の鏡筒構成部材が重ね合わされる方向において加算されてしまう。
そのため、複数の鏡筒構成部材が重ね合わされて構成された鏡筒に対してシールドケースを如何に位置決めし、複数の鏡筒構成部材が重ね合わされる方向において、がたつくことなく如何に装着するかが重要な問題となる。
本発明はこのような事情に鑑みなされたものであり、本発明の目的は、複数の鏡筒構成部材が重ね合わされる方向においてシールドケースを鏡筒に対して位置決めし、がたつくことなく装着する上で有利なカメラモジュールおよび電子機器を提供することにある。
【課題を解決するための手段】
【０００４】
上述の目的を達成するため、本発明のカメラモジュールは、複数の鏡筒構成部材が重ね合わされて構成された鏡筒と、前記複数の鏡筒構成部材のうち被写体像を導く光路としての開口が形成され、もっとも被写体側に位置する前端鏡筒構成部材と、被写体像を撮像して撮像信号を出力する撮像素子と、前記撮像素子から出力される撮像信号を入力して所定の信号処理を行なう信号処理部と、前記前端鏡筒構成部材の被写体側の前面を覆い前記光路としての開口に対応する箇所に開口が設けられた前面被覆用板部を有し、少なくとも前記鏡筒の一部を覆い前記撮像素子および信号処理部に対する電磁遮蔽を行うシールドケースと、前記複数の鏡筒構成部材を、前記重ね合わされる方向に挟持することで、前記シールドケースが前記鏡筒に対して前記重ね合わされる方向において位置決めされ前記鏡筒に装着される挟持機構と、を備え、前記挟持機構を介して前記シールドケースで隣り合う２つの前端鏡筒構成部材、すなわち、シャッタ支持用ハウジングと鏡筒本体を挟持した状態で、前記シールドケースの前記前面被覆用板部と前記鏡筒の前面との間であって、前記前面被覆用板部の開口周辺部に、撮影光学系の光軸方向に沿った隙間を設けたことを特徴とする。
また、本発明の電子機器は、筐体と、前記筐体に組み込まれたカメラモジュールとを備えるものであって、前記カメラモジュールは、複数の鏡筒構成部材が重ね合わされて構成された鏡筒と、前記複数の鏡筒構成部材のうち被写体像を導く光路としての開口が形成され、もっとも被写体側に位置する前端鏡筒構成部材と、被写体像を撮像して撮像信号を出力する撮像素子と、前記撮像素子から出力される撮像信号を入力して所定の信号処理を行なう信号処理部と、前記前端鏡筒構成部材の被写体側の前面を覆い前記光路としての開口に対応する箇所に開口が設けられた前面被覆用板部を有し、少なくとも前記鏡筒の一部を覆い前記撮像素子および信号処理部に対する電磁遮蔽を行うシールドケースと、前記複数の鏡筒構成部材を、前記重ね合わされる方向に挟持することで、前記シールドケースが前記鏡筒に対して前記重ね合わされる方向において位置決めされ前記鏡筒に装着される挟持機構と、を備え、前記挟持機構を介して前記シールドケースで隣り合う２つの前端鏡筒構成部材、すなわち、シャッタ支持用ハウジングと鏡筒本体を挟持した状態で、前記シールドケースの前記前面被覆用板部と前記鏡筒の前面との間であって、前記前面被覆用板部の開口周辺部に、撮影光学系の光軸方向に沿った隙間を設けたことを特徴とする。
【発明の効果】
【０００５】
本発明によれば、互いに隣り合う２つの鏡筒構成部材の箇所を、それらが重ね合わされる方向の両端からシールドケースで挟持する挟持機構を設けたので、重ね合わされる方向において各鏡筒構成部材の寸法のばらつきが加算されても、重ね合わされる方向における鏡筒に対してのシールドケースの位置決めを行い、２つの鏡筒構成部材が重ね合わされる方向においてシールドケースを鏡筒にがたつくことなく装着する上で有利となる。
【発明を実施するための最良の形態】
【０００６】
（第１の実施の形態）
次に本発明の第１の実施の形態について図面を参照して説明する。
図１（Ａ）、（Ｂ）はカメラモジュールが組み込まれた電子機器である携帯電話機１０の一例を示す外観図である。
図１に示すように携帯電話機１０は、ヒンジ部１２によって揺動可能に連結された第１、第２の筐体１４、１６を有している。
第１の筐体１４の内面には液晶表示パネル１４０２が設けられ、第２の筐体１６の内面にはテンキーや機能キーなどの操作スイッチ１６０２が設けられている。
カメラモジュール２０は、第１の筐体１４の基端部に組み込まれ、カメラモジュール２０で撮像した画像は液晶表示パネル１４０２に表示されるように構成されている。
【０００７】
図２（Ａ）、（Ｂ）、図３（Ａ）、（Ｂ）はカメラモジュール２０の斜視図、図４は第１の筐体１４に組み込まれた状態のカメラモジュール２０の断面図、図５（Ａ）、（Ｂ）、図６（Ａ）、（Ｂ）はシールドケース４０を取り外したカメラモジュール２０の斜視図である。
カメラモジュール２０は、カメラ本体２２とシールドケース４０とを備えている。
図４、図５に示すように、カメラ本体２２は、撮影光学系２４を保持する鏡筒２６と、鏡筒２６に取着された基板２８と、鏡筒２６内に組み込まれ撮影光学系２４で結像された被写体像を撮像して撮像信号を出力する撮像素子３０と、基板２８に設けられ撮像素子３０から出力される撮像信号を入力して所定の信号処理を行なう信号処理部３２（図７、図８参照）とを備えている。
【０００８】
鏡筒２６は、撮影光学系２４の光軸に沿った両側箇所に前端と後端とを有し、撮影光学系２４を構成し最も前方に位置する光学部材２４０２（本実施の形態ではレンズカバー）が鏡筒２６の前端に露出して配置されている。
鏡筒２６は矩形板状を呈し、鏡筒２６の中央には前後方向に貫通する、言い換えると、撮影光学系２４の光軸に沿って延在する収容空間が設けられている。
【０００９】
図７は後分割体４４を外したカメラモジュール２０の斜視図、図８は図７のＡ矢視図である。
図５乃至図８に示すように、基板２８は鏡筒２６の後端に取着されている。
基板２８は矩形板状を呈し、基板２８は、鏡筒２６に臨む前面２８Ａと、その反対に位置する後面２８Ｂとを備えている。
基板２８は、鏡筒２６の後端をなす後面よりも大きな輪郭で形成され、鏡筒２６の後面の４辺の外側に、基板２８の４辺部分が突出している。
前面２８Ａには、フレキシブル基板３４が重ね合わされて半田付けにより取着され、フレキシブル基板３４が鏡筒２６に臨む箇所に撮像素子３０が実装されている。
後面２８Ｂには、信号処理部３２を構成する種々のＩＣなどを含む電子部品が実装されている。
また、後面２８Ｂには、基準電位となるグランド用ランド２８０２が設けられている。
なお、図７、図８において符号３４Ａはフレキシブル基板３４の先端に設けられた接続コネクタである。
【００１０】
図９、図１０（Ａ）、（Ｂ）はシールドケース４０を構成する前分割体４２の斜視図、図１１（Ａ）はシールドケース４０を構成する後分割体４４の斜視図、（Ｂ）はシールドケース４０を構成する後分割体４４を内側から見た斜視図である。
シールドケース４０は、鏡筒２６および基板２８を覆い撮像素子３０および信号処理部３２に対する電磁遮蔽を行うものである。
シールドケース４０は、本実施の形態では、鏡筒２６の前部を覆う前分割体４２と、鏡筒２６の後部を覆う後分割体４４とで構成されている。
前分割体４２と後分割体４４は共に、りん青銅、洋白、ブリキ、銅などの弾性および導電性を有しかつ磁性を有さない材料で形成されている。
【００１１】
まず、シールドケース４０の後分割体４４から説明する。
図１１に示すように、後分割体４４は、矩形状の基板被覆用板部４４０２と、基板被覆用板部４４０２の４辺から起立し鏡筒２６の側部に沿って延在する側面部４４０４を有している。
互いに対向する２組の側面部４４０４のうちの１組の側面部４４０４に、基板２８の前面２８Ａに係脱可能に係止し、係止することで基板被覆用板部４４０２が基板２８から離れる方向への動きを阻止する係止部４４１０が設けられている。
【００１２】
図１２はカメラモジュール２０を後方から見た斜視図、図１３は図１２の要部拡大斜視図である。
側面部４４０４に、シールドケース４０を接地するためのグランド用接片４４２０が設けられている。
グランド用接片４４２０は、側面部４４０４から突設され基板被覆用板部４４０２が基板に対して離間接近する方向に対して交差する方向に延在しその先部がグランド用ランド２８０２に半田付けにより接合されている。
すなわち、側面部４４０４に、該側面部４４０４から突出し基板被覆用板部４４０２が基板２８に対して離間接近する方向に対して交差する方向に延在し基板被覆用板部４４０２が基板２８に対して離間接近する方向に弾性変形可能なアーム部４４２２が設けられ、グランド用接片４４２０はこのアーム部４４２２の先端に設けられている。
【００１３】
そして、図４、図１１（Ｂ）に示すように、絶縁性および弾性を有するクッション材４６が基板２８と基板被覆用板部４４０２との間に配設されている。
クッション材４６としては、絶縁性を有しかつ磁性を有しない、例えば、発泡ポリウレタンなどが使用可能である。なお、発泡ポリウレタンは、熱伝導性が空気よりも高い。
そして、図４に示すように、係止部４４１０がカメラ本体２２（本実施の形態では基板２８の前面２８Ａ）に係止することで、クッション材４６は基板２８と基板被覆用板部４４０２との間に圧縮された状態で配設されている。
言い換えると、クッション材４６の弾性力により係止部４４１０をカメラ本体２２に常時係止させ、これにより、後分割体４４はがたつくことなくカメラ本体２２に装着されている。
クッション材４６は、均一の厚さを有する板状の部材で形成され、したがって、基板２８と基板被覆用板部４４０２とは平行している。
【００１４】
図１４は前分割体４２と後分割体４４の要部拡大図である。
図１４に示すように、前分割体４２と後分割体４４がカメラ本体２２に装着された状態で、前分割体４２の側面部４２０４の先端の一部４２０４Ａと、後分割体４４の側面部４４０４の先端の一部４４０４Ａとが互いに弾接することにより、前分割体４２と後分割体４４は電気的に導通している。
また、本実施の形態では、図４に示すように、カメラモジュール２０を第１の筐体１４の基端部に組み込む際に、基板被覆用板部４４０２の外面に板状の防振ゴム４８を介在させ、鏡筒本体５２から突設された４つの脚部５２５０（図１８参照）を第１の筐体１４の内壁１４１０に取り付けることでカメラモジュール２０を配設している。より詳細には、鏡筒本体５２から突設された４つの脚部５２５０を第１の筐体１４の内壁１４１０の係合部に係合させて防振ゴム４８を圧縮した状態で取り付け、防振ゴム４８に衝撃緩和作用を発揮させるとともに後分割体４４が外れるのを防止させるようにしている。
【００１５】
このような構成の後分割体４４を有すると次のような効果が奏される。
携帯電話機１０が落下するなどしてカメラモジュール２０に衝撃が加わったとしても、防振ゴム４８の衝撃緩和作用に加え、クッション材４６が基板被覆用板部４４０２と基板２８との間に介在しているので、クッション材４６の衝撃緩和作用により後分割体４４と基板２８の間に無理な力が作用せず、カメラモジュール２０の耐衝撃性を確保する上で有利となる。
また、クッション材４６が基板２８と基板被覆用板部４４０２との間に圧縮された状態で配設され、クッション材４６の弾性力により係止部４４１０をカメラ本体２２に常時係止させるので、後分割体４４をがたつくことなくカメラ本体２２に装着する上で有利となる。
また、後分割体４４は、アーム部４４２２およびグランド用接片４４２０を介して基板のグランド用ランド２８０２に接合されているため、カメラモジュール２０に衝撃が加わったとしても、アーム部４４２２が撓むことで衝撃力が緩和されるので、グランド用接片４４２０とグランド用ランド２８０２の接合部分に無理な力が作用せず、グランド用接片４４２０とグランド用ランド２８０２の接合部分の耐衝撃性を確保する上で有利となる。
また、発泡ポリウレタンなどのような熱伝導性が空気よりも高い材料でクッション材４６を構成すると、基板２８で発生した熱がクッション材４６を介して後分割体４４に伝わりやすく基板２８を効率よく冷却する上で有利となる。
【００１６】
なお、グランド用ランド２８０２に接触させるグランド用接片４４２０は次のように構成することも可能である。
図１５はカメラモジュール２０を後方から見た斜視図、図１６は図１５の要部拡大斜視図である。
前記実施例では、グランド用接片４４２０とグランド用ランド２８０２とを半田付けにより接合しているのに対して、本実施例では、アーム部４４２２の弾性を利用してグランド用接片４４２０をグランド用ランド２８０２に常時接触させるようにしており、その他の構成は前記実施例と同様である。
本実施例では、側面部４４０４から突出し基板被覆用板部４４０２が基板２８に対して離間接近する方向に対して交差する方向に延在し基板被覆用板部４４０２が基板２８に対して離間接近する方向に弾性変形可能なアーム部４４２２が設けられている。
アーム部４４２２の先端にグランド用ランド２８０２に接触可能なグランド用接片４４２０が設けられている。
そして、グランド用接片４４２０は、アーム部４４２２の弾性によりグランド用ランド２８０２に接触しかつ該接触状態が保持されている。
このようなグランド用接片４４２０によれば、グランド用接片４４２０とグランド用ランド２８０２とが半田付けされている場合に比較して、半田付けの作業が不要となるため組み立ての簡素化を図る上で有利となる。
また、グランド用接片４４２０とグランド用ランド２８０２とがリジッドに固定されていないため、グランド用接片４４２０とグランド用ランド２８０２の接合部分にかかる力を軽減することができ、グランド用接片４４２０とグランド用ランド２８０２の接合部分の耐衝撃性を確保する上でより有利となる。
【００１７】
また、係止部４４１０は前分割体４２に係止させるようにしてもよい。
図１７は第１の筐体１４に組み込まれた状態のカメラモジュール２０の断面図である。
前記実施例では、基板被覆用板部４４０２が基板２８から離れる方向への動きを阻止する係止部４４１０をカメラ本体２２に係止させていたが、本実施例では、係止部４４１０Ａを前分割体４２に係止させるようにしており、その他の構成は前記実施例と同様である。
すなわち、係止部４４１０Ａは、後分割体４４の互いに対向する２組の側面部４４０４のうちの１組の側面部４４０４の先端に設けられている。
この係止部４４１０Ａは、前分割体４２の係止部４２３０に係止可能で、係止部４４１０Ａが前分割体４２の係止部４２３０に係止することで基板被覆用板部４４０２が基板２８から離れる方向への動きを阻止されるように構成されている。
また、基板被覆用板部４４０２の外面に板状の防振ゴム４８を介在させ、鏡筒本体５２から突設された４つの脚部５２５０（図１８参照）を第１の筐体１４の内壁１４１０に取り付けることでカメラモジュール２０を配設している。
このような係止部４４１０によっても前記実施例と同様な効果が奏される。
【００１８】
なお、クッション材４６として弾性および絶縁性を有する板状の部材を用いた場合について説明したが、クッション材４６として弾性および絶縁性を有する線材から構成された単一のあるいは複数のコイルスプリングなどを用いることができる。しかしながら、実施例のような板状の部材を用いると、構造の簡単化、組み立ての簡単化を図る上で有利となる。
【００１９】
次に、本発明の要部である前分割体４２で覆われる鏡筒２６部分および前分割体４２ならびに挟持機構６０について説明する。
図１８はカメラモジュール２０を前方から見た分解斜視図、図１９はカメラモジュール２０を後方から見た分解斜視図である。
鏡筒２６は、複数の鏡筒構成部材が重ね合わせて構成されている。
すなわち、鏡筒２６は、シャッタ支持用ハウジング５０と鏡筒本体５２とが撮影光学系２４の光軸方向に沿って重ね合わされて構成されている。より詳細には、鏡筒本体５２は、前鏡筒５４と、後鏡筒５６とが撮影光学系２４の光軸方向に沿って重ね合わされて構成され、前鏡筒５４と後鏡筒５６とは紫外線硬化型接着剤（ＵＶ接着剤）により接合されている。
なお、シャッタ支持用ハウジング５０と前鏡筒５４と後鏡筒５６は、それらの寸法にばらつきがあるものの、それぞれ許容誤差の範囲に入っている。
シャッタ支持用ハウジング５０の中央には、撮影光学系２４の光路の開口５００２が設けられ、シャッタ支持用ハウジング５０の内部には、開口５００２を開閉する不図示のシャッタおよびシャッタの駆動手段が設けられている。なお、シャッタ支持用ハウジング５０は、特許請求の範囲の重ねあわされる複数の鏡筒構成部材のうち撮影光学系の光軸方向の前端に位置する前端鏡筒構成部材に相当している。
シャッタ支持用ハウジング５０は、前鏡筒５４に対して位置合わせされた状態でねじ５００４により前鏡筒５４のボス部５４０１に結合されている。
シャッタ支持用ハウジング５０の前鏡筒５４と反対側の箇所は、平坦な前面５００６として形成され、また、前面５００６の反対側の箇所は平坦な後面５００８として形成されている。
撮影光学系２４を構成し撮影光学系２４の光軸方向の最も前端に位置する光学部材２４０２（レンズカバー）は、開口５００２を塞ぐように前面５００６に両面テープで取着されている。
図１８において符号５０１０は、上述のシャッタの駆動手段を制御するためのフレキシブル基板を示している。
【００２０】
前鏡筒５４は、シャッタ支持用ハウジング５０の後面５００８に合わされる前面５４０２を有し、前面５４０２は矩形を呈している。
したがって、鏡筒本体５２の前部は前面５００６を有し、また、鏡筒本体５２の側部は、前面５００６の４辺に対応する４つの側面５２０２を有している。
そして、４つの側面５２０２のうちの１つの側面５２０２には、図５、図６に示すように２つの係止突起５２１０が突設され、また、残りの２つの側面５２０２には、それぞれ単一の係止突起５２１０が突設され、残りの１つの側面には、突起は設けられていない。本実施の形態では、それら係止突起５２１０は前鏡筒５４に設けられている。
なお、図１８、図１９において、符号３００２はフレキシブル基板３４上に実装され被写体像を撮像して撮像信号を生成する撮像センサとしてのＣＭＯＳセンサ、符号３００４はフレキシブル基板３４上に取着されＣＭＯＳセンサを収容する矩形枠状のパッケージ、符号３００６はパッケージ３００４の前面を覆いパッケージ３００４内のＣＭＯＳセンサ３００２を密閉するカバーガラスである。これらＣＭＯＳセンサ３００２、パッケージ３００４、カバーガラス３００６によって撮像素子３０が構成されている。なお、本実施の形態では撮像センサとしてＣＭＯＳセンサ３００２を用いたが、本発明はこれに限定されるものではなく、ＣＣＤセンサ、あるいは、従来公知のセンサを用いることができることは無論である。
【００２１】
図４、図９、図１０に示すように、前分割体４２は、シャッタ支持用ハウジング５０の前面５００６を覆う矩形状の前面被覆用板部４２０２と、前面被覆用板部４２０２の４辺から屈曲された４つの側面部４２０４を有している。
前面被覆用板部４２０２には、光学部材２４０２（レンズカバー）に対応した箇所に開口４２０６が設けられている。
また、前面被覆用板部４２０２の周囲に沿った４箇所にばね片４２１０が一体に形成されている。
ばね片４２１０は、前面被覆用板部４２０２から側面部４２０４にわたって設けられ、前面被覆用板部４２０２に対して離間接近する方向に弾性変形可能に、言い換えると、撮影光学系２４の光軸方向に弾性変形可能に、さらに言い換えると、複数の鏡筒構成部材が重ね合わされる方向に弾性変形可能に形成されている。
本実施の形態では、前面被覆用板部４２０２の１つの辺の両端に２つのばね片４２１０が形成され、この辺に交わる２つの辺の端部に１つのばね片４２１０がそれぞれ形成されている。
【００２２】
２つのばね片４２１０が設けられた側面部４２０４には、ばね片４２１０が弾性変形する方向に沿って（複数の鏡筒構成部材が重ね合わされる方向に沿って）各ばね片４２１０から離れた箇所にそれぞれ係止用開口４２０８が形成されている。
また、１つのばね片４２１０が設けられた側面部４２０４には、ばね片４２１０が弾性変形する方向に沿って（複数の鏡筒構成部材が重ね合わされる方向に沿って）ばね片４２１０から離れた箇所に係止用開口４２０８が形成されている。
図１０（Ａ）に示すように、１つの係止用開口４２０８の側部には、上下に延在する縦溝４２１２が連設されている。
図９、図１０に示すように、前面被覆用板部４２０２から離れる方向で各係止用開口４２０８を通る側面部４２０４の端部には、該側面部４２０４の外側に折れ曲がる屈曲片４２２０が設けられ、前分割体４２のカメラ本体２２（鏡筒本体５２）への装着時に、各係止突起５２１０が対応する係止用開口４２０８に円滑に案内されるように構成されている。
なお、平面視した状態で、シャッタ支持用ハウジング５０の四辺の輪郭は、鏡筒本体５２の４つの側面５２０２の輪郭よりも一回り大きく形成されており、前分割体４２の４つの側面部４２０４の内面がシャッタ支持用ハウジング５０の四辺に当接することで、前分割体４２の撮影光学系２４の光軸方向と直交する方向の位置決めがなされ、前分割体４２の開口４２０６の中心と、撮影光学系２４の光軸（光学部材２４０２（レンズカバー）の中心）とが合致するように構成されている。
【００２３】
図２０乃至図２３は鏡筒２６に前分割体４２、後分割体４４が装着された状態を示す側面図であり、図２０は図２（Ｂ）のＡ矢視図に相当し、図２１は図２（Ｂ）のＢ矢視図に相当し、図２２は図２（Ｂ）のＣ矢視図に相当し、図２３は図２（Ｂ）のＤ矢視図に相当している。
図４、図２０乃至図２３に示すように、前面被覆用板部４２０２と側面部４２０４で鏡筒本体５２の前面５００６と側面５２０２を覆い、ばね片４２１０を前面５００６（前面２６０２）に係止させ、かつ、係止突起５２１０を係止用開口４２０８に挿入すると、各ばね片４２１０が弾性変形し、ばね片４２１０が前面５００６に圧接すると共に、前面５００６と反対に位置する係止突起５２１０の箇所が、係止用開口４２０８のばね片４２１０と離れた箇所に位置する縁４２０８Ａに常時圧接されるように構成されている。本実施の形態では、鏡筒本体５２の前面５００６によってばね片４２１０が係止される係止面が構成されている。
本実施の形態では、ばね片４２１０、鏡筒本体５２の前面５００６、係止突起５２１０、係止用開口４２０８により、互いに隣り合う２つの鏡筒構成部材の箇所を、前記重ね合わされる方向の両端から挟持することで、シールドケース４０が鏡筒２６に対して前記重ね合わされる方向において位置決めされ鏡筒２６に装着される挟持機構６０が構成されている。
【００２４】
また、本実施の形態では、図４に示すように、挟持機構６０を介してシールドケース４０（前分割体４２）で隣り合う２つの鏡筒構成部材、すなわち、シャッタ支持用ハウジング５０と鏡筒本体５２を挟持した状態で、シールドケース４０の前面被覆用板部４２０２と鏡筒２６の前面２６０２との間には、撮影光学系２４の光軸方向に沿った隙間Ｓが確保されるように構成されている。
【００２５】
本実施の形態によれば、重ね合わされ互いに隣り合う２つの鏡筒構成部材の箇所を、すなわち、シャッタ支持用ハウジング５０と鏡筒本体５２の箇所を、それらが重ね合わされる方向の両端からシールドケース４０（前分割体４２）で挟持する挟持機構６０を設けたので、前記重ね合わされる方向においてシャッタ支持用ハウジング５０と鏡筒本体５２の寸法のばらつきが加算されても、前記重ね合わされる方向における鏡筒本体５２に対しての前分割体４２の位置決めを行い、前分割体４２を鏡筒本体５２に前記重ね合わされる方向においてがたつくことなく装着する上で有利となる。
また、本実施の形態では、前分割体４２に設けたばね片４２１０が鏡筒本体５２の前面５００６（係止面）に圧接され、係止用開口４２０８に挿入された係止突起５２１０が前面５００６と反対に位置する箇所が、係止用開口４２０８のばね片４２１０と離れた箇所に位置する縁４２０８Ａに圧接されるので、係止突起５２１０が前面５００６と反対に位置する箇所を基準として、あるいは、係止用開口４２０８のばね片４２１０と離れた箇所に位置する縁４２０８Ａを基準として、鏡筒本体５２に対して前記重ね合わされる方向におけるシールドケース４０（前分割体４２）の位置決めを正確に行う上で有利となる。
また、鏡筒本体５２に対して前記重ね合わされる方向においてシールドケース４０（前分割体４２）ががたつくことなく、正確に位置決めされると、被写体から鏡筒本体５２の撮影光学系２４に至る光路がシールドケース４０の開口４２０６を構成する縁部で遮られる、いわゆる、ケラレを防止する上で有利となる。
また、本実施の形態では、シールドケース４０の前面被覆用板部４２０２と鏡筒本体５２の前面５００６との間に隙間Ｓが確保されているので、カメラモジュール２０の前方から鏡筒本体５２に向かう後方向きの外力が作用した場合に、隙間Ｓが介在していることから鏡筒本体５２の前面５００６への衝撃を緩和する上で有利となる。
【００２６】
なお、実施の形態では、複数の鏡筒構成部材が撮影光学系２４の光軸方向に沿って重ね合わされた場合について説明したが、本発明は、複数の鏡筒構成部材が撮影光学系２４の光軸方向と直交する方向に重ね合わされる場合にも無論適用される。この場合、本発明によれば、複数の鏡筒構成部材が重ね合わされる方向において鏡筒本体５２に対してシールドケース４０が位置決めされるので、撮影光学系２４の光路とシールドケース４０に設けられる開口４２０６とを正確に位置決めでき、いわゆるケラレを防止する上で有利となる。
また、実施の形態では、挟持機構６０をばね片４２１０、鏡筒本体５２の前面５００６、係止突起５２１０、係止用開口４２０８によって構成した場合について説明したが、挟持機構６０の構成はこれに限定されるものではなく、従来公知の様々な挟持構造を採用可能である。しかしながら、実施の形態のように挟持機構６０を構成した場合には、構造を簡素化する上で有利となる。
また、実施の形態では、複数の鏡筒構成部材が、シャッタ支持用ハウジング５０と鏡筒本体５２の２つで構成されている場合について説明したが、鏡筒構成部材の数は３つ以上であってもよいことは無論である。
また、実施の形態では、電子機器が携帯電話機１０である場合について説明したが、本発明は、例えば、ＰＤＡ、ノート型パーソナルコンピュータなどの携帯情報端末、あるいは、デジタルスチルカメラ、ビデオカメラなどの種々の撮像装置に広く適用可能である。
【図面の簡単な説明】
【００２７】
【図１】（Ａ）、（Ｂ）はカメラモジュールが組み込まれた携帯電話機の一例を示す外観図である。
【図２】（Ａ）、（Ｂ）はカメラモジュール２０の斜視図である。
【図３】図３（Ａ）、（Ｂ）はカメラモジュール２０の斜視図である。
【図４】図４は第１の筐体１４に組み込まれた状態のカメラモジュール２０の断面図である。
【図５】（Ａ）、（Ｂ）はシールドケース４０を取り外したカメラモジュール２０の斜視図である。
【図６】（Ａ）、（Ｂ）はシールドケース４０を取り外したカメラモジュール２０の斜視図である。
【図７】図７は後分割体４４を外したカメラモジュール２０の斜視図である。
【図８】図７のＡ矢視図である。
【図９】シールドケース４０を構成する前分割体４２の斜視図である。
【図１０】（Ａ）、（Ｂ）はシールドケース４０を構成する前分割体４２の斜視図である。
【図１１】（Ａ）はシールドケース４０を構成する後分割体４４の斜視図、（Ｂ）はシールドケース４０を構成する後分割体４４を内側から見た斜視図である。
【図１２】カメラモジュール２０を後方から見た斜視図である。
【図１３】図１２の要部拡大斜視図である。
【図１４】図１４は前分割体４２と後分割体４４の要部拡大図である。
【図１５】カメラモジュール２０を後方から見た斜視図である。
【図１６】図１５の要部拡大斜視図である。
【図１７】カメラモジュール２０の断面図である。
【図１８】カメラモジュール２０を前方から見た分解斜視図である。
【図１９】カメラモジュール２０を後方から見た分解斜視図である。
【図２０】鏡筒２６に前分割体４２、後分割体４４が装着された状態を示す側面図（図２（Ｂ）のＡ矢視図に相当）である。
【図２１】鏡筒２６に前分割体４２、後分割体４４が装着された状態を示す側面図（図２（Ｂ）のＢ矢視図に相当）である。
【図２２】鏡筒２６に前分割体４２、後分割体４４が装着された状態を示す側面図（図２（Ｂ）のＣ矢視図に相当）である。
【図２３】鏡筒２６に前分割体４２、後分割体４４が装着された状態を示す側面図（図２（Ｂ）のＤ矢視図に相当）である。
【符号の説明】
【００２８】
１０……携帯電話機、２０……カメラモジュール、２２……カメラ本体、２４……撮影光学系２４……鏡筒、３０……撮像素子、３２……信号処理部、４０……シールドケース、６０……挟持機構。
【図１】
0004618507.tif 000002
【図２】
0004618507.tif 000003
【図３】
0004618507.tif 000004
【図４】
0004618507.tif 000005
【図５】
0004618507.tif 000006
【図６】
0004618507.tif 000007
【図７】
0004618507.tif 000008
【図８】
0004618507.tif 000009
【図９】
0004618507.tif 000010
【図１０】
0004618507.tif 000011
【図１１】
0004618507.tif 000012
【図１２】
0004618507.tif 000013
【図１３】
0004618507.tif 000014
【図１４】
0004618507.tif 000015
【図１５】
0004618507.tif 000016
【図１６】
0004618507.tif 000017
【図１７】
0004618507.tif 000018
【図１８】
0004618507.tif 000019
【図１９】
0004618507.tif 000020
【図２０】
0004618507.tif 000021
【図２１】
0004618507.tif 000022
【図２２】
0004618507.tif 000023
【図２３】
0004618507.tif 000024